【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
ロッカー装置と、サーバとを備えるロッカーシステムであって、
前記サーバは、前記ロッカー装置のロッカーボックスを電子鍵で施錠する施錠機能を有する第１の端末装置と、前記ロッカーボックスの施錠状態を解錠する解錠機能を有する第２の端末装置との間でそれぞれネットワーク上で通信可能であり、
前記ロッカー装置と、前記第１の端末装置と、前記第２の端末装置とは、それぞれが相互に直接通信可能な近距離無線通信機能を備え、
前記第１の端末装置は、前記ロッカーボックスを施錠した場合に、前記電子鍵を前記ロッカー装置と前記サーバに出力し、
前記ロッカー装置と前記サーバはそれぞれ前記第１の端末装置から取得した前記電子鍵を保持し、
前記第２の端末装置は、前記ロッカーボックスを解錠する場合に、前記サーバから前記電子鍵を取得し、
前記第２の端末装置と前記ロッカー装置とは、前記近距離無線通信機能を用いて通信を行い、それぞれの前記電子鍵を照合することで前記ロッカーボックスの解錠処理を行う
ことを特徴とするロッカーシステム。
【請求項２】
ロッカー装置であって、
前記ロッカー装置は、前記ロッカー装置のロッカーボックスを電子鍵で施錠する施錠機能を有する第１の端末装置と、前記ロッカーボックスの施錠状態を解錠する解錠機能を有する第２の端末装置との間で、それぞれが相互に近距離無線通信機能により直接通信可能であり、
前記第１の端末装置は、サーバとネットワーク上で通信可能であって、前記ロッカーボックスを施錠した場合に、前記電子鍵を、前記ロッカー装置と前記サーバに出力し、
前記ロッカー装置と前記サーバはそれぞれ前記第１の端末装置から取得した前記電子鍵を保持し、
前記第２の端末装置は、前記サーバとネットワーク上で通信可能であって、前記ロッカーボックスを解錠する場合に、前記サーバから前記電子鍵を取得し、
前記第２の端末装置と前記ロッカー装置とは、前記近距離無線通信機能を用いて通信を行い、それぞれの前記電子鍵を照合することで前記ロッカーボックスの解錠処理を行う
ことを特徴とするロッカー装置。
【請求項３】
ロッカー装置と、サーバとを備えるロッカーシステムであって、
前記サーバは、前記ロッカー装置のロッカーボックスを電子鍵で施錠する施錠機能を有する第１の端末装置及び前記ロッカーボックスの施錠状態を解錠する解錠機能を有する第２の端末装置と、それぞれネットワーク上で通信可能であって、前記第１の端末装置と前記第２の端末装置とそれらのユーザを管理するユーザ管理部と、前記ロッカー装置を管理するロッカー管理部と、前記ユーザ管理部で利用されるユーザ情報及び前記ロッカー管理部で利用されるロッカー情報と前記電子鍵の情報とを記録し保持するデータベースとを備え、
前記ロッカー装置と、前記第１の端末装置と、前記第２の端末装置とは、それぞれが相互に直接通信可能な近距離無線通信機能を備え、
前記ロッカー装置は、前記電子鍵による前記ロッカーボックスの施錠・解錠を管理する開閉制御部と、前記電子鍵の認証を行う鍵認証部とを備え、
前記第１の端末装置は、前記ロッカー装置の前記ロッカーボックスを施錠する際に前記電子鍵を前記サーバと前記ロッカー装置に出力する電子鍵生成部を有し、
前記第２の端末装置は、前記ロッカー装置の前記ロッカーボックスを解錠する際に前記電子鍵を前記サーバから取得する電子鍵取得部と、前記ロッカー装置の前記鍵認証部に前記電子鍵を照合させ認証を行わせるロッカー認証部と
を備えることを特徴とするロッカーシステム。
【請求項４】
ロッカー装置であって、
前記ロッカー装置は、前記ロッカー装置のロッカーボックスを電子鍵で施錠する施錠機能を有する第１の端末装置と、前記ロッカーボックスの施錠状態を解錠する解錠機能を有する第２の端末装置との間で、それぞれが相互に近距離無線通信機能により直接通信可能であり前記電子鍵による前記ロッカーボックスの施錠・解錠を管理する開閉制御部と、前記電子鍵の認証を行う鍵認証部とを備え、
前記第１の端末装置は、サーバとネットワーク上で通信可能であって、前記ロッカー装置の前記ロッカーボックスを施錠する際に前記電子鍵を前記ロッカー装置と前記サーバに出力する電子鍵生成部を有し、
前記サーバは、前記第１の端末装置と前記第２の端末装置とそれらのユーザを管理するユーザ管理部と、前記ロッカー装置を管理するロッカー管理部と、前記ユーザ管理部で利用されるユーザ情報及び前記ロッカー管理部で利用されるロッカー情報と前記電子鍵の情報とを記録し保持するデータベースと、を備え、
前記第２の端末装置は、前記サーバとネットワーク上で通信可能であって、前記ロッカー装置の前記ロッカーボックスを解錠する際に前記電子鍵を前記サーバから取得する電子鍵取得部と、前記ロッカー装置の前記鍵認証部に前記電子鍵を照合させ認証を行わせるロッカー認証部と
を備えることを特徴とするロッカーシステム。
【請求項５】
前記第１の端末装置と前記第２の端末装置は、それぞれ情報送受信可能な機能を有し、前記情報送受信可能な機能を用いて、前記電子鍵に関連付けた情報の譲渡を行うことを特徴とする請求項１から４のいずれかに記載のロッカーシステム。
【請求項６】
前記電子鍵には、有効期限が設定されており、前記有効期限を過ぎて解錠処理を行う場合には、追加課金が発生することを特徴とする請求項１から５のいずれかに記載のロッカーシステム。
【請求項７】
前記第１の端末装置は、前記第２の端末装置に前記電子鍵に関連づけて前記ロッカー装置の位置情報を通知し、
前記第２の端末装置は、前記位置情報をもとに前記ロッカー装置への誘導を行うことを
特徴とする請求項１から６のいずれかに記載のロッカーシステム。
【手続補正２】
【補正対象書類名】明細書
【補正対象項目名】０００７
【補正方法】変更
【補正の内容】
【０００７】
本発明は、ロッカー装置と、サーバとを備えるロッカーシステムであって、前記サーバは、前記ロッカー装置のロッカーボックスを電子鍵で施錠する施錠機能を有する第１の端末装置と、前記ロッカーボックスの施錠状態を解錠する解錠機能を有する第２の端末装置との間でそれぞれネットワーク上で通信可能であり、前記ロッカー装置と、前記第１の端末装置と、前記第２の端末装置とは、それぞれが相互に直接通信可能な近距離無線通信機能を備え、前記第１の端末装置は、前記ロッカーボックスを施錠した場合に、前記電子鍵を前記ロッカー装置と前記サーバに出力し、前記ロッカー装置と前記サーバはそれぞれ前記第１の端末装置から取得した前記電子鍵を保持し、前記第２の端末装置は、前記ロッカーボックスを解錠する場合に、前記サーバから前記電子鍵を取得し、前記第２の端末装置と前記ロッカー装置とは、前記近距離無線通信機能を用いて通信を行い、それぞれの前記電子鍵を照合することで前記ロッカーボックスの解錠処理を行う。
本発明は、ロッカー装置であって、前記ロッカー装置は、前記ロッカー装置のロッカーボックスを電子鍵で施錠する施錠機能を有する第１の端末装置と、前記ロッカーボックスの施錠状態を解錠する解錠機能を有する第２の端末装置との間で、それぞれが相互に近距離無線通信機能により直接通信可能であり、前記第１の端末装置は、サーバとネットワーク上で通信可能であって、前記ロッカーボックスを施錠した場合に、前記電子鍵を、前記ロッカー装置と前記サーバに出力し、前記ロッカー装置と前記サーバはそれぞれ前記第１の端末装置から取得した前記電子鍵を保持し、前記第２の端末装置は、前記サーバとネットワーク上で通信可能であって、前記ロッカーボックスを解錠する場合に、前記サーバから前記電子鍵を取得し、前記第２の端末装置と前記ロッカー装置とは、前記近距離無線通信機能を用いて通信を行い、それぞれの前記電子鍵を照合することで前記ロッカーボックスの解錠処理を行う。
本発明は、ロッカー装置と、サーバとを備えるロッカーシステムであって、前記サーバは、前記ロッカー装置のロッカーボックスを電子鍵で施錠する施錠機能を有する第１の端末装置及び前記ロッカーボックスの施錠状態を解錠する解錠機能を有する第２の端末装置と、それぞれネットワーク上で通信可能であって、前記第１の端末装置と前記第２の端末装置とそれらのユーザを管理するユーザ管理部と、前記ロッカー装置を管理するロッカー管理部と、前記ユーザ管理部で利用されるユーザ情報及び前記ロッカー管理部で利用されるロッカー情報と前記電子鍵の情報とを記録し保持するデータベースとを備え、前記ロッカー装置と、前記第１の端末装置と、前記第２の端末装置とは、それぞれが相互に直接通信可能な近距離無線通信機能を備え、前記ロッカー装置は、前記電子鍵による前記ロッカーボックスの施錠・解錠を管理する開閉制御部と、前記電子鍵の認証を行う鍵認証部とを備え、前記第１の端末装置は、前記ロッカー装置の前記ロッカーボックスを施錠する際に前記電子鍵を前記サーバと前記ロッカー装置に出力する電子鍵生成部を有し、前記第２の端末装置は、前記ロッカー装置の前記ロッカーボックスを解錠する際に前記電子鍵を前記サーバから取得する電子鍵取得部と、前記ロッカー装置の前記鍵認証部に前記電子鍵を照合させ認証を行わせるロッカー認証部とを備える。
本発明は、ロッカー装置であって、前記ロッカー装置は、前記ロッカー装置のロッカーボックスを電子鍵で施錠する施錠機能を有する第１の端末装置と、前記ロッカーボックスの施錠状態を解錠する解錠機能を有する第２の端末装置との間で、それぞれが相互に近距離無線通信機能により直接通信可能であり前記電子鍵による前記ロッカーボックスの施錠・解錠を管理する開閉制御部と、前記電子鍵の認証を行う鍵認証部とを備え、前記第１の端末装置は、サーバとネットワーク上で通信可能であって、前記ロッカー装置の前記ロッカーボックスを施錠する際に前記電子鍵を前記ロッカー装置と前記サーバに出力する電子鍵生成部を有し、前記サーバは、前記第１の端末装置と前記第２の端末装置とそれらのユーザを管理するユーザ管理部と、前記ロッカー装置を管理するロッカー管理部と、前記ユーザ管理部で利用されるユーザ情報及び前記ロッカー管理部で利用されるロッカー情報と前記電子鍵の情報とを記録し保持するデータベースと、を備え、前記第２の端末装置は、前記サーバとネットワーク上で通信可能であって、前記ロッカー装置の前記ロッカーボックスを解錠する際に前記電子鍵を前記サーバから取得する電子鍵取得部と、前記ロッカー装置の前記鍵認証部に前記電子鍵を照合させ認証を行わせるロッカー認証部とを備える。
また、前記第１の端末装置と前記第２の端末装置は、それぞれ情報送受信可能な機能を有し、前記情報送受信可能な機能を用いて、前記電子鍵に関連付けた情報の譲渡を行ってもよい。
また、前記電子鍵には、有効期限が設定されており、前記有効期限を過ぎて解錠処理を行う場合には、追加課金が発生することもできる。
また、前記第１の端末装置は、前記第２の端末装置に前記電子鍵に関連づけて前記ロッカー装置の位置情報を通知し、前記第２の端末装置は、前記位置情報をもとに前記ロッカー装置への誘導を行ってもよい。